(57)【要約】      （修正有）【課題】靴のかかと部の大きさに応じてベルト長さを調節した後は、靴の側方側に沿って接触するように垂下する垂下部材や靴の前方側に長さ調節可能な前方側装着ベルトと連結して、靴をアイゼンやカンジキに装着し易くするとともに靴が左右にずれ難くするアイゼン・カンジキの靴装着用取り付け具を提供する。【解決手段】靴を装着する装着ベルトと連結されて使用され、靴のかかと部を円弧状に固定する円弧状固定ベルト４３として、かつ、長さ調節可能に構成されるともに、前記円弧状固定ベルト４３と連結して靴の外周に沿って接触するように垂下する垂下部材４１とを備えて、これらの両部材４３と４１と靴５０を装着する装着ベルト４２が連結されて、靴５０を固定する。【選択図】図１０
0003203527.tif 000002
【実用新案登録請求の範囲】
【請求項１】
登山靴などの靴を雪の上などを歩くためのアイゼン・カンジキに装着して靴を固定するために靴かかと部に配されるアイゼン・カンジキの靴装着用取り付け具であって、
靴を装着する装着ベルトと連結されて使用され、靴のかかと部を円弧状に固定する円弧状固定ベルトとして、かつ、長さ調節可能に構成されるともに、前記円弧状固定ベルトと連結して靴の外周に沿って接触するように垂下する垂下部材とを備えて、これらの両部材と靴を装着する装着ベルトが連結されて使用されることを特徴とするアイゼン・カンジキの靴装着用取り付け具。
【請求項２】
前記垂下部材に形成される係止穴であって前記円弧状固定ベルトの方向に形成されている係止穴に対して巻き付けられるとともに、靴の前方側に長さ調節可能な前方側装着ベルトを備え、前記垂下部材に形成される係止穴であって前記円弧状固定ベルトの方向に形成されている係止穴に対して巻き付けられることを特徴とする請求項１記載のアイゼン・カンジキの靴装着用取り付け具。
【請求項３】
登山靴などの靴を雪の上などを歩くためのアイゼン・カンジキに装着して靴を固定するために靴かかと部に配されるアイゼン・カンジキの靴装着用取り付け具であって、
靴を装着する装着ベルトと連結されて使用され、靴のかかと部を円弧状に固定する円弧状固定ベルトとして、かつ、長さ調節可能に構成されるともに、靴の前方側に長さ調節可能な前方側装着ベルトを備え、該前方側装着ベルトは、そのベルト状の表面の凹凸状の爪が連続的に形成されるとともに前記凹凸に掛止する係止部材を備えたロック手段を備え、前記アイゼン・カンジキの靴装着用取り付け具と連結されて使用されることを特徴とするアイゼン・カンジキの靴装着用取り付け具。
【請求項４】
前記前方側装着ベルトに前記円弧状固定ベルトと連結して靴の外周に沿って接触するように垂下する垂下部材が取り付けられ、かつ前記垂下部材に形成される係止穴であって前記円弧状固定ベルトの方向に形成されている係止穴に対して巻き付けられ、これらの部材と靴を装着する装着ベルトが連結されて使用されることを特徴とする請求項３記載のアイゼン・カンジキの靴装着用取り付け具。
【請求項５】
請求項１ないし４のいずれか１項記載のアイゼン・カンジキの靴装着用取り付け具は、カンジキに連結用掛止部材が起立可能な状態で設けられるとともに、前記連結用掛止部材を起立させた状態にして靴を装着する前記装着ベルトと連結されるカンジキの靴装着用取り付け具に連結されることを特徴とする請求項１ないし４のいずれか１項記載のアイゼン・カンジキの靴装着用取り付け具。
【考案の詳細な説明】
【技術分野】
【０００１】
本考案は、靴をアイゼン・カンジキに装着するアイゼン・カンジキの靴装着用取り付け具に関する。
【背景技術】
【０００２】
アイゼン・カンジキは登山者等が深い雪の上を歩くときに使用するものであり、靴の上に装着して足が雪中に深く沈み込まないようにするために使われる。雪が深くないときは歩行の妨げになるため、雪が深くなる所で装着し、雪が浅くなるところで取り外す。もともとは猟師が使っていたものと言われ、本来は木の枝をＵ字型に曲げたものを二つ組み合わせて片足分として、縄で靴の上からに縛り付けて使うものであった。
【０００３】
特許文献１には、ベルト等を用いて靴をアイゼン・カンジキに装着するものが開示されている。具体的には、その図１に示すように、靴用装着具１０は、アイゼン７０に取り付けられる一対の爪先側ベルト１２，１６及びヒール側ベルト２２と、長尺の固定バンド３０により構成される。爪先側ベルト１２，１６の端部は、三角環２０に固定されている。また、固定バンド３０は、係止具４０，４６と、それらの位置決め及び紛失防止を図るためのコキ５２，５４を備えており、バックル３２を設けた端部３０Ａ側が前記ヒール側ベルト２２の外足側に取り付けられる。特許文献２には、ガット面（２）によって構成され使用者の靴（４）を固定するための固定手段（ＭＲ）を含む形式の輪かんじき（１）であって、専用のカンジキと専用の靴を用いて靴を固定するものが開示されている。特許文献３には、かんじき上に靴を保持するための装置を提供するものであり、保持手段（１）は前保持手段（５）と後保持手段（６）を含む。前保持手段（５）は後に向かって開放されるインクロージャまたはキャビティ（８）を形成する保持壁（９ａ、９ｂ、１０ａ、１０ｂ、１１、１２、１３ａ、１３ｂ）を含み、靴（２）の前先端部（２ａ）がその中に入る。靴（２）の後最先端部（２ｂ）は後保持手段（６）によって保持され、所定位置においてキャビティが締付けられる構造が説明されている。
【特許文献１】特開２００８−０３５９３１号公報
【特許文献２】特開２００２−２５３３０３号公報
【特許文献３】特開平９−２９４６０８号公報
【考案の開示】
【考案が解決しようとする課題】
【０００４】
ところで、アイゼンやカンジキに装着する靴（登山靴等）には、大きさの種類があり（大中小：ＬＭＳサイズ等）、これらのサイズが異なる靴でもアイゼンやカンジキに確実に固定する必要がある。ただし、靴のかかと部では、長さ調節が可能としたとしても、その長さ調節などは、靴の前方側とは異なり、その操作はし難いものである。すなわち、靴のかかと部では、靴の大きさに合わせて長さ調節を行なう必要があるものの、一旦長さ調節した後は、靴の前方側で締め付けることが締め付け操作として、その操作が行ないやすいものである。
しかしながら、特許文献１と２では、靴のかかと部の大きさに合わせた締め付け調整が行なう機構がないか（靴かかと部は、合成樹脂製等で予めサイズが決まったものが使用されているか）、また、その調節が難しいものが多く、しかも、仮にかかと部は締め付けができたとしても、靴の他の部分との連結がスムーズな作業で、靴の外周に沿って確実に固定できるものはなかった。
また、特許文献１では、アイゼンの両方の直線部分に渡した２本の部材の上に靴を載せ、それぞれの部材の両側に巻いた部材に金具を取り付け、その金具を利用して靴を固定するものである。この構造では、靴の左右方向の移動を防止することができず、アイゼンを使用して雪中を歩行すると靴がずれてバランスを崩し、歩行し難いという問題点があった。また、特許文献２では、カンジキと靴は、セットで用いられるものであるから汎用性が乏しいという問題点があった。また、特許文献３も、カンジキに使用されるものであるが、靴を確実に固定することは用意ではない。
また、図１２（ａ）（ｂ）に示すように、カンジキの靴かかと部固定用取り付け具１２１とは別の連結用掛止部材１３２を用いて、靴を装着する装着ベルトＢと連結して使用される連結用掛止部材１３２がバックル１３２Ｂの穴に通されるが、バックル１３２Ｂが横向きで取り付けられると（バックル１３２Ｂの面が靴と垂直姿勢になる）、靴を装着する装着ベルトＢとが捩れた状態になってしまい、靴の締め付けが十分になされなくなったり、その連結作業もスムーズに行なうことができず、また、上記横向きになると、靴の底に配されるアイゼン・カンジキの靴装着用取り付け具１２１の弾力性が失われて、雪道での歩行が難しくなる問題を有していた。
【０００５】
そこで本考案の目的は、靴のかかと部の大きさに応じてベルト長さを調節した後は、靴の側方側に沿って接触するように垂下する垂下部材と連結されて使用したり、靴の前方側に長さ調節可能な前方側装着ベルトと連結して使用したり、また、カンジキに取り付け可能なカンジキの靴装着用取り付け具結と連結して使用することで、靴をアイゼンやカンジキに装着し易くするとともに靴が左右にずれ難くするアイゼン・カンジキの靴装着用取り付け具を提供することにある。
【課題を解決するための手段】
【０００６】
本考案のアイゼン・カンジキの靴装着用取り付け具は、登山靴などの靴を雪の上などを歩くためのアイゼン・カンジキに装着して靴を固定するために靴かかと部に配されるアイゼン・カンジキの靴装着用取り付け具であって、靴を装着する装着ベルトと連結されて使用され、靴のかかと部を円弧状に固定する円弧状固定ベルトとして、かつ、長さ調節可能に構成されるともに、前記円弧状固定ベルトと連結して靴の外周に沿って接触するように垂下する垂下部材とを備えて、これらの両部材と靴を装着する装着ベルトが連結されて使用されることを特徴とする。
また、本考案のアイゼン・カンジキの靴装着用取り付け具は、登山靴などの靴を雪の上などを歩くためのアイゼン・カンジキに装着して靴を固定するために靴かかと部に配されるアイゼン・カンジキの靴装着用取り付け具であって、
靴を装着する装着ベルトと連結されて使用され、靴のかかと部を円弧状に固定する円弧状固定ベルトとして、かつ、長さ調節可能に構成されるともに、靴の前方側に長さ調節可能な前方側装着ベルトを備え、該前方側装着ベルトは、そのベルト状の表面の凹凸状の爪が連続的に形成されるとともに前記凹凸に掛止する係止部材を備えたロック手段を備え、前記アイゼン・カンジキの靴装着用取り付け具と連結されて使用されることを特徴とする。
本考案によれば、靴のかかと部の大きさに応じてベルト長さを調節した後は、靴の側方側に沿って接触するように垂下する垂下部材と連結して使用したり、靴の前方側に長さ調節可能な前方側装着ベルトと連結して使用したりすることで、靴をアイゼンやカンジキに装着し易くして、靴を左右にずれ難くする。
【０００７】
本考案としては、前記円弧状固定ベルトは、前記垂下部材に形成される係止穴であって前記円弧状固定ベルトの方向に形成されている係止穴に対して巻き付けられて長さ調節可能に構成されていることを特徴とする。
本考案によれば、前記垂下部材に形成される係止穴であって前記円弧状固定ベルトの方向に形成されている係止穴に対して巻き付けられていることにより、靴かかと部を巻きつけた状態のベルトで前記垂下部材と確実に連結される。
【０００８】
本考案としては、請求項１ないし４のいずれか１項記載のアイゼン・カンジキの靴装着用取り付け具は、カンジキに連結用掛止部材が起立可能な状態で設けられるとともに、前記連結用掛止部材を起立させた状態にして靴を装着する前記装着ベルトと連結されるカンジキの靴装着用取り付け具に連結されることを特徴とする。
本考案によれば、前記カンジキの靴装着用取り付け具と連結することが容易になるとともに、靴の底部側の弾力性が発揮されて、雪道における歩行がし易くなる。
【考案の効果】
【０００９】
本考案によれば、靴のかかと部の大きさに応じてベルト長さを調節した後は、靴の側方側に沿って接触するように垂下する垂下部材と連結されて使用したり、靴の前方側に長さ調節可能な前方側装着ベルトと連結して使用したり、また、カンジキに取り付け可能なカンジキの靴装着用取り付け具結と連結して使用することで、靴をアイゼンやカンジキに装着し易くして靴を左右にずれ難くすることができる。
【図面の簡単な説明】
【００１０】
【図１】本考案に使用されるカンジキを示す斜視図である。
【図２】本考案のカンジキの靴装着用取り付け具を示す斜視図である。
【図３】カンジキにカンジキの靴装着用取り付け具を装着した状態を示す斜視図である。
【図４】本考案で使用される巻き締め用ベルトの例を示す斜視図である。
【図５】カンジキにカンジキの靴装着用取り付け具及び巻き締め用ベルトを装着した状態を示す斜視図である。
【図６】本考案のカンジキの靴装着用取り付け具の連結用掛止部材にＤ型リングを装着した状態を示す斜視図である。
【図７】本考案のカンジキの靴装着用取り付け具に靴を装着するし装着ベルトを装着した状態を示す斜視図である。
【図８】カンジキに靴を装着した状態を示す斜視図である。
【図９】本考案のアイゼン・カンジキの靴装着用取り付け具の使用状態を説明する斜視図である。
【図１０】本考案のアイゼン・カンジキの靴装着用取り付け具とカンジキの靴かかと部固定用取り付け具を示す斜視図である。
【図１１】図２で示した本考案のアイゼン・カンジキの靴装着用取り付け具の別形態である。
【図１２】従来のアイゼン・カンジキの靴装着用取り付け具を示す斜視図である。
【図１３】アイゼンに適用した本考案のアイゼン・カンジキの靴装着用取り付け具のを示す図である。
【図１４】従来のアイゼン・カンジキの靴装着用取り付け具を示す斜視図である。
【考案を実施するための形態】
【００１１】
以下、本考案を実施するための最良の形態を図面にもとづいて説明する。説明の順序は本考案のアイゼン・カンジキの靴装着用取り付け具と連結されるカンジキの靴装着用取り付け具を組み立てる順序に基づいている。
本考案のアイゼン・カンジキの靴装着用取り付け具４３は、アイゼンＡ１の他に、カンジキの靴装着用取り付け具１２とも連結して使用可能である。アイゼンは、氷や氷化した雪の上を歩く際に滑り止めとして靴底に装着する、金属製の爪が付いた登山用具である。なお、カンジキは、わら(藁)沓（くつ）やゴム長靴などの下につけて雪上や湿地の歩行や作業に用いるはきものであり、雪の中に足が埋まらぬよう木の板や竹で輪や枠をつくり、縄をつけて沓をしばるものであり、輪っか状のタイプと、輪っか状ではないタイプがある。輪っから状のタイプがほとんどである（これを「輪かんじき」と呼んでいる）。本明細書中では、輪かんじきを例に説明するが、輪っか状ではタイプのカンジキにも本発明は適用可能である。
【００１２】
（アイゼンに適用した実施の形態）
図１３は、本考案をアイゼンに適用した斜視図である。なお、図１４は、従来のアイゼンの一例を示す斜視図である。
本考案のアイゼン・カンジキの靴装装着用取り付け具Ａ１は、靴のかかと部を円弧状に固定する円弧状固定ベルトとして、かつ、長さ調節可能に構成される。すなわち、本考案のアイゼン・カンジキの靴装装着用取り付け具Ａ１は、布や革などで柔軟性をもちつつ伸びにくい素材で所定の幅を持っており、靴５０の外周に沿って接触するように垂下する垂下部材４１を備えて、これらの両部材と靴を装着する装着ベルトが連結されて使用され、ベルトＡ１を通過させる穴を有するバックルＡ１ｂ等を介して、その長さが調節可能になっている。また、前記垂下部材４１を介して、前方側装着ベルト４２と連結される。なお、本実施の形態では、左右の垂下部材４１に輪っか状に掛けて、バックルＡ１ｂに二本のベルトＡ１を通過させているが、この例に限られず、長さ調整可能であれば良い。
靴５０の前方側の前方側装着ベルト４２は、合成樹脂製の長さ調節可能な前方側装着ベルトであり、該前方側装着ベルト４２は、そのベルト状の表面の凹凸状の爪が連続的に形成されるとともに前記凹凸に掛止する係止部材を備えたロック手段４２Ｒを備える。
前記垂下部材４１は、前方側装着ベルト４２と連結して靴５０の外周に沿って接触するように垂下する部材であり、装着ベルト４２等の方向に形成されている係止穴に対して巻き付けられる。また、アイゼンＡの靴底に当たる部材と連結去れるようになっている。すなわち、垂下部材４１は、三角状の板材に装着ベルトを通す穴４１ａが形成されており、アイゼンＡ１や靴５０を装着したベルトで巻き付けられるようになっている。
したがって、靴のかかと部の大きさに応じて本実施形態のベルトＡ１の長さを調節した後は、該前方側装着ベルト４２は、そのベルト状の表面の凹凸状の爪が連続的に形成されるとともに前記凹凸に掛止する係止部材を備えたロック手段４２Ｒにより、靴５０の前方側でのみ調整することになるので、靴のかかと部と同じ長さのベルトを配置した状態にして、靴をアイゼンＡに装着し易くして靴を左右にずれ難くすることができる。
なお、図１４の従来例では、アイゼン・カンジキの靴装装着用取り付け具Ｃ１は、合成樹脂製の円弧形状であり、靴の前方側を固定する前方側装着ベルト４２に直接、つまり本考案のような垂下部材４１を介さずに取り付けられるものであり、長さ調節もできない構成である。
【００１３】
（カンジキに適用した実施の形態）
図１は、本考案に係るカンジキ１０を示す斜視図である。カンジキ１０は、前後の円弧状部と、左右側の対向する２カ所の直線部１１が変更して形成されており、直線部１１に下向きにそれぞれ爪１５が配されている。
図２は、本考案のカンジキの靴装着用取り付け具１２を示す斜視図である。カンジキの靴装着用取り付け具１２は、布や革などで柔軟性をもちつつ伸びにくい素材で所定の幅をもって円環状に形成された部分を有して連結用掛止部材３１が設けられ、連結用掛止部材３１の円環状部分３１ａが外側になるようにバックル３１ｂが取り付けられ、円環状部分を重ね合わせた内側に同様の素材でカンジキの靴装着用の取り付け具１２の靴固定部３０が固定されている。カンジキの靴装着用の取り付け具１２の円環状部分３１ａにバックル３１ｂの「日」形状（或いはＥ形状）の中の横棒を通しており、カンジキの靴装着用の取り付け具１２の靴固定部３０は前記バックル３１ｂを円環状のベルトに固定する。
【００１４】
図３は、カンジキ１０にカンジキの靴装着用取り付け具１２を装着した状態を示す斜視図である。２本のカンジキの靴装着用の取り付け具１２を、カンジキ１０の直線部に、バックル３１ｂが爪１５の突出方向とは逆になるように配置し、当該２つのカンジキの靴装着用の取り付け具１２が外れないように、連結ベルト１３にて締め込む。なお、２本のカンジキの靴装着用の取り付け具１２は、カンジキの爪１５を挟み込むように取り付けられる。本考案としては、カンジキの爪１５を覆うカバーを繋ぐ連結部材がカンジキ１０の左右の部材間に配されているが、この連結部材１２Ｃに連結用掛止部材３１が取り付けられていても良い。
【００１５】
図４は、巻き締め用ベルト１４を拡大し個別に表示した図４（ａ）である。布や革などで柔軟性をもちつつ伸びにくい素材で所定の幅を持っており、前記カンジキの靴装着用の取り付け具１２を下方から巻き込んだ後、それぞれ直角に方向を転換し（図４（ｂ））、その端を前記バックル３１ｂの穴に通すように構成されている。
ここで、本実施の形態に関わらず、本考案のカンジキの靴装着用取り付け具１２が図１１のように、連結用掛止部材３１a、３１ｂをカンジキに掛け渡す下側に配置させ、上側に前記連結掛止部材３１ａ、３１ｂを通す穴を開けた構造としてもよい。この図１１の実施形態によれば、後述する補助部材（）を使用せずとも、靴５０は、弾力性をもってカンジキ１０に本考案のカンジキの靴装着用取り付け具１２が緩むことなく取り付けられる。
【００１６】
図５は、前記図３の状態にしたものに、前記巻き締め用ベルト１４を装着した状態を示す斜視図である。当該巻き締め用ベルト１４で前記カンジキの靴装着用の取り付け具１２におけるカンジキ１０の直線部１１に近い箇所を締め込むことで、さらにカンジキの靴装着用の取り付け具１２が移動しないように固定される。
【００１７】
図６は、前記図５の状態にしたものに、Ｄリング３３を装着した状態を示す斜視図である。当該Ｄリング３３は、巻き締め用ベルト１４の一方の端に通されて配される。
【００１８】
図７は、前記図６の状態にしたものに、靴５０（図８参照）を装着するための前方側装着ベルト４０、４２及び、後方側装着ベルト４３を装着した状態を示す斜視図である。
【００１９】
図８は、靴５０をカンジキ１０に装着した状態を示す斜視図である。
第１の前方側装着ベルト４０は靴５０の甲部分を固定するためのものであり、第２の前方側装着ベルト４２は靴５０の足首部分前方を固定するためのものであり、後方側装着ベルト４３カンジキの靴かかと部固定用取り付け具４３は靴５０の足首部分後方（かかとの上方）を固定するためのものである。前記各前方側装着ベルト４０，４２は布や革などで柔軟性をもちつつ伸びにくい素材で所定の幅を持っている。
また、靴５０の足首部分を固定する２つの前方側装着ベルト４２と後方側装着ベルト４３カンジキの靴かかと部固定用取り付け具４３は、足首（踝）両側に配したＹ形の垂下部材４１を介してＤリング３３に固定されている。前記各前方側装着ベルト４０、４２、及び後方側装着ベルト４３の靴５０への固定は、バックル３２、３３によって行われる。
【００２０】
図１０は、カンジキの靴かかと部固定用取り付け具４３を説明する図である。カンジキの靴かかと部固定用取り付け具４３は、前方側装着ベルト４２や、前記円弧状固定ベルトと連結して靴の外周に沿って接触するように垂下する垂下部材４１とを備えて、これらの両部材４３，４１と靴５０を装着する装着ベルト４２が連結されて使用される。本実施の形態の前方側装着ベルト４２は、その合成樹脂製のベルト状の表面の係止爪が連続的に形成されるとともに前記凹凸に掛止する係止部材を備えたロック手段を備え、前記カンジキの靴かかと部固定用取り付け具４３と連結されて使用される（図１１（ａ））。また、前方側装着ベルト４２としては、布製のベルトと、それを連結するＯ型リング３６とを備えて、これらが連結させるものでも良い（図１０（ｂ））。この場合は、布製のベルト４６が前方側装着ベルト４２であり、Ｏ型リング３６が前記垂下部材４１であるが、前方側装着ベルト４２を備えて、これらが連結させるものでも良い。
【００２１】
この例のように、靴５０の後方側においても、カンジキの靴装着用取り付け具１２の連結用掛止部材３１ａは、靴５０を装着する装着ベルト４２が通されるバックル３１ｂを備えるか、又は、所定の幅をもって円環状に構成され、板状の垂下部材４１の面の方向と一致するので、靴を固定する装着ベルト４２との連結が行ない易く、また、靴の側方と接触するようにして、靴を固定することが出来る。
【００２２】
以上、本実施の形態に関わらず、本考案のカンジキの靴装着用取り付け具に靴を固定する方法が異なったものであっても、本考案のカンジキの靴装着用取り付け具、又は締め込みベルトを用いることで同様の作用効果を奏することは言うまでも無い。例えば、本実施の形態のカンジキの靴装着用取り付け具１２を、カンジキ１０の刃１０ａを覆うカバー１６ｃが設けられるバンド１６に取り付けるか、又は、このバンド１６に前記連結用掛止部材（バックル）を取り付けて、カンジキの靴装着用取り付け具１２としても良い。また、本実施の形態では、輪っか状のカンジキの靴装着用取り付け具１２で説明したが、バックルなどの長さ調節部材を備えたベルトを輪っか状に長さ調節して使用しても良い。
【符号の説明】
【００２３】
１０          カンジキ、
１１          カンジキ直線部、
１２          カンジキの靴装着用の取り付け具、
１３          連結ベルト、
１４          巻き締め用ベルト、
１５          爪
３０          カンジキの靴装着用の取り付け具の靴固定部、
３１ａ        円環状部分（カンジキの靴装着用の取り付け具の連結用掛止部材）、
３１ｂ        バックル（カンジキの靴装着用の取り付け具の連結用掛止部材）、
３２          カンジキの靴装着用取り付け具の別形態、
３２ａ        連結掛止部材を通す穴、
４０、４２    前方側装着ベルト、
４１          垂下部材、
４３  アイゼン・カンジキの靴装着用取り付け具（後方側装着ベルト、円弧状固定ベルト）、
４３ｂ        後方側装着ベルトの長さ調整用バックル、
５０          靴
【図１】
0003203527.tif 000003
【図２】
0003203527.tif 000004
【図３】
0003203527.tif 000005
【図４】
0003203527.tif 000006
【図５】
0003203527.tif 000007
【図６】
0003203527.tif 000008
【図７】
0003203527.tif 000009
【図８】
0003203527.tif 000010
【図９】
0003203527.tif 000011
【図１０】
0003203527.tif 000012
【図１１】
0003203527.tif 000013
【図１２】
0003203527.tif 000014
【図１３】
0003203527.tif 000015
【図１４】
0003203527.tif 000016